(57)【要約】【課題】  選択される入力端子および出力端子に応じて最適な処理解像度を自動的に決定すること。【解決手段】  出力設定解像度にSourceが設定されている場合には、入力設定解像度が処理解像度に設定される。出力端子に接続されるディスプレイ装置が全ての解像度に対応可能な場合、出力設定解像度にSourceが設定されることによって、出力端子に組合せられる入力端子が変更された場合でも、処理解像度を自動的に最適な解像度に変更できる。出力設定解像度にSource以外が設定されている場合、出力設定解像度が処理解像度に決定される。出力端子に接続されるディスプレイ装置が特定の解像度のみに対応可能である場合、出力設定解像度を特定解像度に設定することにより、特定の解像度の画像データをディスプレイ装置に出力することができる。【選択図】図５
2010004467.tif 000002
【特許請求の範囲】
【請求項１】
画像データを送信する複数の画像送信装置が接続可能な複数の入力端子と、
画像データを受信する複数の画像受信装置が接続可能な複数の出力端子と、
前記複数の入力端子のいずれかから入力される画像データを、後記処理解像度に変換して、前記複数の出力端子のいずれかから出力する画像処理手段と、
前記複数の入力端子の各々に対して入力設定解像度をユーザ操作に応じて設定する入力設定手段と、
前記複数の出力端子の各々に対して出力設定解像度をユーザ操作に応じて設定する出力設定手段と、
画像データが入力されるべき１つの前記入力端子と、画像データを出力すべき１つの前記出力端子との組合せを選択する選択手段と、
選択されている前記入力端子と前記出力端子との組合せに関して、前記出力端子の前記出力設定解像度がＳｏｕｒｃｅに設定されている場合には、前記入力端子に設定されている前記入力設定解像度を前記処理解像度に決定し、前記出力端子の前記出力設定解像度がＳｏｕｒｃｅ以外に設定されている場合には、前記入力端子に設定されている入力設定解像度を無視して、前記出力端子に設定されている前記出力設定解像度を前記処理解像度に決定する解像度決定手段とを備える、画像処理装置。
【請求項２】
選択されている前記入力端子と前記出力端子との組合せに関して、前記出力設定解像度がＡｕｔｏに設定されている場合、又は、前記出力設定解像度がＳｏｕｒｃｅに設定され、かつ、前記入力設定解像度がＡｕｔｏに設定されている場合、前記解像度決定手段が、前記出力端子に接続されている画像受信装置から、前記画像受信装置が対応可能な解像度の情報を取得して、当該解像度の中から選択された解像度を前記処理解像度に決定する、請求項１に記載の画像処理装置。
【請求項３】
前記出力設定解像度がＳｏｕｒｃｅに設定され、かつ、前記入力設定解像度がＡｕｔｏに設定されているが、前記出力端子に接続されている画像受信装置から、前記画像受信装置が対応可能な解像度の情報を取得できない場合には、前記解像度決定手段が、前記入力端子に接続されている画像送信装置から入力される画像データを解像度変換することなく出力するように前記画像処理手段を制御する、請求項２に記載の画像処理装置。
【請求項４】
選択されている前記入力端子と前記出力端子との組合せに関して、前記出力設定解像度がＴｈｒｏｕｇｈに設定されている場合、又は、前記出力設定解像度がＳｏｕｒｃｅに設定され、かつ、前記入力設定解像度がＴｈｒｏｕｇｈに設定されている場合、前記解像度決定手段が、前記入力端子に接続されている画像送信装置から入力される画像データを解像度変換することなく出力するように前記画像処理手段を制御する、請求項１〜３のいずれかに記載の画像処理装置。
【請求項５】
前記出力設定解像度がＡｕｔｏに設定されているが、前記出力端子に接続されている画像受信装置から、前記画像受信装置が対応可能な解像度の情報を取得できない場合、前記解像度決定手段が、前記入力設定解像度を前記処理解像度に決定する、請求項２または３に記載の画像処理装置。
【請求項６】
前記入力設定解像度がＡｕｔｏ又はＴｈｒｏｕｇｈである場合には、前記解像度決定手段が、所定解像度を前記処理解像度に決定する、請求項５に記載の画像処理装置。
【請求項７】
画像データを送信する複数の画像送信装置が接続可能な複数の入力端子と、画像データを受信する複数の画像受信装置が接続可能な複数の出力端子とを備える画像処理装置の動作プログラムであって、
前記複数の入力端子のいずれかから入力される画像データを、後記処理解像度に変換して、前記複数の出力端子のいずれかから出力するステップと、
前記複数の入力端子に対して入力設定解像度をユーザ操作に応じて設定するステップと、
前記複数の出力端子に対して出力設定解像度をユーザ操作に応じて設定するステップと、
画像データが入力されるべき１つの前記入力端子と、画像データを出力すべき１つの前記出力端子との組合せを選択するステップと、
選択されている前記入力端子と前記出力端子との組合せに関して、前記出力端子の前記出力設定解像度がＳｏｕｒｃｅに設定されている場合には、前記入力端子に設定されている前記入力設定解像度を前記処理解像度に決定するステップと、
前記出力端子の前記出力設定解像度がＳｏｕｒｃｅ以外に設定されている場合には、前記入力端子に設定されている入力設定解像度を無視して、前記出力端子に設定されている前記出力設定解像度を前記処理解像度に決定するステップとをコンピュータに実行させる、画像処理装置の動作プログラム。
【発明の詳細な説明】
【技術分野】
【０００１】
本発明は、複数の入力端子と複数の出力端子とを備え、入力端子から入力される画像データの解像度を変換して出力端子から出力する画像処理装置に関する。
【背景技術】
【０００２】
ＡＶアンプには、複数の入力端子に複数の画像送信装置（例えば、ＤＶＤプレーヤ等）を接続可能であり、複数の出力端子に複数の画像受信装置（例えば、ディスプレイ装置）を接続可能である。ＡＶアンプは、ユーザ操作によって、解像度設定が可能になっており、ＤＶＤプレーヤから入力された画像データの解像度を設定されている解像度に変換して、ディスプレイ装置に送信する。ここで、複数の出力端子に複数のディスプレイ装置を接続しており、各ディスプレイ装置が対応している解像度が異なる場合には、画像データの出力先のディスプレイ装置を切り換える毎に、ユーザ操作によって解像度設定を適切に変更する必要があり、その操作が非常に煩雑である。さらに、複数の入力端子に複数のＤＶＤプレーヤが接続され、各ＤＶＤプレーヤが出力する解像度が異なっており、ユーザがＡＶアンプから出力する際に所望する解像度がＤＶＤプレーヤ毎に異なる場合には、画像データを入力するＤＶＤプレーヤを変更する毎に、ユーザ操作によって解像度設定を適切に変更する必要があり、その操作が非常に煩雑である。また、ＤＶＤプレーヤとディスプレイ装置との両方を切り換える場合には、その組合せに応じて、適切な解像度を判断して、解像度設定を変更する必要がある。
【０００３】
【特許文献１】特開２００７−７９１７６号公報
【特許文献２】特開２００７−７９１７７号公報
【発明の開示】
【発明が解決しようとする課題】
【０００４】
本発明は上記従来の課題を解決するためになされたものであり、その目的は、複数の入力端子および複数の出力端子を備える画像処理装置において、選択される入力端子および出力端子に応じて最適な処理解像度を自動的に決定することができる画像処理装置を提供することである。
【課題を解決するための手段】
【０００５】
本発明の好ましい実施形態による画像処理装置は、画像データを送信する複数の画像送信装置が接続可能な複数の入力端子と、画像データを受信する複数の画像受信装置が接続可能な複数の出力端子と、前記複数の入力端子のいずれかから入力される画像データを、後記処理解像度に変換して、前記複数の出力端子のいずれかから出力する画像処理手段と、前記複数の入力端子の各々に対して入力設定解像度をユーザ操作に応じて設定する入力設定手段と、前記複数の出力端子の各々に対して出力設定解像度をユーザ操作に応じて設定する出力設定手段と、画像データが入力されるべき１つの前記入力端子と、画像データを出力すべき１つの前記出力端子との組合せを選択する選択手段と、選択されている前記入力端子と前記出力端子との組合せに関して、前記出力端子の前記出力設定解像度がＳｏｕｒｃｅに設定されている場合には、前記入力端子に設定されている前記入力設定解像度を前記処理解像度に決定し、前記出力端子の前記出力設定解像度がＳｏｕｒｃｅ以外に設定されている場合には、前記入力端子に設定されている入力設定解像度を無視して、前記出力端子に設定されている前記出力設定解像度を前記処理解像度に決定する解像度決定手段とを備える。
【０００６】
出力設定解像度にＳｏｕｒｃｅが設定されている場合には、出力設定解像度が無視され、入力設定解像度が処理解像度に設定される。例えば、出力端子に接続される画像受信装置が全ての解像度に対応可能な場合には、出力設定解像度にＳｏｕｒｃｅが設定されることによって、出力端子に組合せられる入力端子が変更された場合でも、入力設定解像度に入力端子に接続される画像送信装置毎にユーザが所望する解像度を設定しておくことにより、処理解像度を自動的に最適な解像度に変更することができる。また、出力設定解像度にＳｏｕｒｃｅ以外が設定されている場合には、入力設定解像度は無視され、出力設定解像度が処理解像度に決定される。例えば、出力端子に接続される画像受信装置が特定の解像度のみに対応可能である（又は、画像受信装置によってユーザが所望する解像度が決まっている）場合には、出力設定解像度を特定の解像度に設定しておくことにより、組合せられる入力端子とは無関係に、特定の解像度の画像データを画像受信装置に出力することができる。なお、Ｓｏｕｒｃｅ、Ａｕｔｏ、Ｔｈｒｏｕｇｈという用語は、設定項目を明確に記載するために使用しているものあり、その主旨が同じである限り、別の用語に変更されても技術的範囲に含まれるものとする。
【０００７】
好ましくは、選択されている前記入力端子と前記出力端子との組合せに関して、前記出力設定解像度がＡｕｔｏに設定されている場合、又は、前記出力設定解像度がＳｏｕｒｃｅに設定され、かつ、前記入力設定解像度がＡｕｔｏに設定されている場合、前記解像度決定手段が、前記出力端子に接続されている画像受信装置から、前記画像受信装置が対応可能な解像度の情報を取得して、当該解像度の中から選択された解像度を前記処理解像度に決定する。
【０００８】
例えば、画像受信装置の対応可能な解像度の中で最高の解像度での出力を希望する場合には、Ａｕｔｏが設定されることによって、画像受信装置の対応可能な解像度の情報を取得して、当該解像度の中から選択された解像度を処理解像度に決定することができる。
【０００９】
好ましくは、前記出力設定解像度がＳｏｕｒｃｅに設定され、かつ、前記入力設定解像度がＡｕｔｏに設定されているが、前記出力端子に接続されている画像受信装置から、前記画像受信装置が対応可能な解像度の情報を取得できない場合には、前記解像度決定手段が、前記入力端子に接続されている画像送信装置から入力される画像データを解像度変換することなく出力するように前記画像処理手段を制御する。
【００１０】
この場合、上記において、画像受信装置の対応可能な解像度の情報を取得できない場合でも、所定解像度を決定することができずに画像データを出力できないという問題を防止できる。
【００１１】
好ましくは、選択されている前記入力端子と前記出力端子との組合せに関して、前記出力設定解像度がＴｈｒｏｕｇｈに設定されている場合、又は、前記出力設定解像度がＳｏｕｒｃｅに設定され、かつ、前記入力設定解像度がＴｈｒｏｕｇｈに設定されている場合、前記解像度決定手段が、前記入力端子に接続されている画像送信装置から入力される画像データを解像度変換することなく出力するように前記画像処理手段を制御する。
【００１２】
画像処理手段で解像度変換されると画質が劣化するように場合には、Ｔｈｒｏｕｇｈが設定されることにより、画像送信装置から入力された画像データを解像度変換せずに、出力することができる。
【００１３】
好ましくは、前記出力設定解像度がＡｕｔｏに設定されているが、前記出力端子に接続されている画像受信装置から、前記画像受信装置が対応可能な解像度の情報を取得できない場合、前記解像度決定手段が、前記入力設定解像度を前記処理解像度に決定する。
【００１４】
前記入力設定解像度がＡｕｔｏ又はＴｈｒｏｕｇｈである場合には、前記解像度決定手段が、所定解像度を前記処理解像度に決定する。
【発明の効果】
【００１５】
上記のように、入力設定解像度及び出力設定解像度を設定することにより、選択される入力端子および出力端子に応じて最適な処理解像度を自動的に決定することができる。
【発明を実施するための最良の形態】
【００１６】
以下、本発明の好ましい実施形態による画像処理装置であるＡＶアンプ２０について、図面を参照して具体的に説明するが、本発明はこれらの実施形態には限定されない。
【００１７】
図１は、画像送信装置であるＤＶＤプレーヤ１０（１０Ａ〜１０Ｄ）、ＡＶアンプ２０、画像受信装置であるディスプレイ装置３０（３０Ａ〜３０Ｄ）を示すブロック図である。ＡＶアンプ２０は、ＤＶＤプレーヤ１０が接続可能な複数の画像入力端子（以下、入力端子という。）２７ａ〜２７ｄと、ディスプレイ装置３０が接続可能な複数の画像出力端子（以下、出力端子という。）２７ｅ〜２７ｈとを有する。例えば、入力端子２７ａ〜２７ｃはＨＤＭＩ入力端子であり、入力端子２７ｄはアナログ入力端子である。例えば、出力端子２７ｅ〜２７ｇはＨＤＭＩ出力端子であり、出力端子２７ｈはアナログ出力端子である。
【００１８】
入力端子２７ａにはＤＶＤプレーヤ１０ＡがＨＤＭＩケーブルを介して接続され、入力端子２７ｂにはＨＤＭＩケーブルを介してＤＶＤプレーヤ１０Ｂが接続され、入力端子２７ｃにはＨＤＭＩケーブルを介してＤＶＤプレーヤ１０Ｃが接続され、入力端子２７ｄにはアナログケーブルを介してＤＶＤプレーヤ１０Ｄが接続されている。
【００１９】
出力端子２７ｅにはＨＤＭＩケーブルを介してディスプレイ装置３０Ａが接続され、出力端子２７ｆにはＨＤＭＩケーブルを介してディスプレイ装置３０Ｂが接続され、出力端子２７ｇにはＨＤＭＩケーブルを介してディスプレイ装置３０Ｃが接続され、出力端子２７ｈにはアナログケーブルを介してディスプレイ装置３０Ｄが接続されている。ＡＶアンプ２０と、ＤＶＤプレーヤ１０Ａ〜１０Ｃ及びディスプレイ装置３０Ａ〜３０Ｃは、ＨＤＭＩ規格に準拠している。
【００２０】
［ＤＶＤプレーヤ１０の構成］
ＤＶＤプレーヤ１０は、再生部１１と、ＨＤＭＩ送信部１３と、システム制御部１４と、操作表示部１５と、メモリ１６と、出力端子１７とを有している。
【００２１】
再生部１１は、ＤＶＤディスク（以下、単にディスクという。）に記録されている画像データ（映像データの意味を含む、以下同様。）及び音声データをディスクから読み出して、ＨＤＭＩ送信部１３に供給する。再生部１１は、図示しない光ピックアップ、サーボ回路、ＭＰＥＧデコーダ、音声デコーダ等を含む。
【００２２】
ＨＤＭＩ送信部１３は再生部１１から供給された画像データおよび音声データを、システム制御部１４からのコマンドにより、ＨＤＭＩ規格のデータ（以下、ＨＤＭＩデータという。）に変換する。ＨＤＭＩ送信部１３は、ＨＤＭＩデータを出力端子１７を介してＡＶアンプ２０に送信する。ＨＤＭＩ送信部１３は、ＨＤＭＩデータを送受信するＴＭＤＳラインおよび接続の有無を判断するためのホットプラグを介して、ＡＶアンプ２０のＨＤＭＩ受信部２１に接続される。
【００２３】
システム制御部１４は、内蔵又は接続されたメモリに格納されているＤＶＤプレーヤの動作プログラムに基づいて、再生部１１、ＨＤＭＩ送信部１３、操作表示部１５、メモリ１６等を制御するものであり、例えば、マイクロコンピュータやＣＰＵ等である。システム制御部１４は、操作表示部１５からの操作入力または各部からの制御信号およびデータに基づいて各種処理を実行する。
【００２４】
システム制御部１４は、ＣＥＣラインを介してＡＶアンプ２０のシステム制御部２３に接続され、システム制御部２３とコマンドおよび／またはデータを送受信する。
【００２５】
［ＡＶアンプの構成］
ＡＶアンプ２０は、ＨＤＭＩ受信部２１と、ＨＤＭＩ送信部２２と、システム制御部２３と、画像処理部２４と、操作表示部２５と、音声処理部２６と、入力端子２７ａ〜２７ｄと、出力端子２７ｅ〜２７ｈと、メモリ（ＲＯＭ，ＲＡＭ等）２８とを有している。
【００２６】
ＨＤＭＩ受信部２１は、入力端子２７ａ〜２７ｃのいずれかに（すなわち、ＤＶＤプレーヤ１０Ａ〜１０Ｃのいずれかから）供給されたＨＤＭＩデータを受信して、受信したＨＤＭＩデータから元の画像データ（ＨＤＭＩ変換前の画像データ）を生成して、画像処理部２４に供給する。また、ＨＤＭＩ受信部２１は、受信したＨＤＭＩデータから元の音声データを生成して、音声処理部２６に供給する。
【００２７】
画像処理部２４は、システム制御部２３からの指示に応じて、ＨＤＭＩ受信部２１から供給された画像データの解像度を、システム制御部２３によって決定されている処理解像度に変換して、ＨＤＭＩ送信部２２又は出力端子２７ｈに出力する。また、画像処理部２４は、入力端子２７ｄに（すなわち、ＤＶＤプレーヤ１０Ｄから）供給された画像データを受信して、システム制御部２３からの指示に応じて、画像データの解像度を、決定されている処理解像度に変換して、ＨＤＭＩ送信部２２又は出力端子２７ｈに供給する。
【００２８】
ＨＤＭＩ送信部２２は、画像処理部２４から供給された画像データをＨＤＭＩデータに変換する。ＨＤＭＩ送信部２２は、変換したＨＤＭＩデータを、出力端子２７ｅ〜２７ｇのいずれかに（すなわち、ディスプレイ装置３０Ａ〜３０Ｃのいずれかに）供給する。
【００２９】
音声処理部２６は、ＨＤＭＩ受信部２１から供給された音声データをデコードし、遅延処理、イコライザ処理、Ｄ／Ａ変換処理、音量調整処理、増幅処理等の各処理を実行し、外部に接続されたスピーカー６０に音声信号を供給する。
【００３０】
また、ＡＶアンプ２０は、図示しないセレクタを備えている。セレクタは、セレクタ１〜４に対応付けて、複数の入力端子２７ａ〜２７ｄをユーザ操作によって予め割り当てておき、ユーザ操作によって所望のセレクタが選択されることにより、所望の入力端子を選択するものである。また、ＡＶアンプ２０は、セレクタとは別に、画像データの出力先である出力端子をユーザ操作によって選択できるようになっている。ＡＶアンプ２０は、選択されたセレクタに割り当てられている入力端子から入力された画像データを、選択された出力端子から出力する。メモリ２８には、図２に示すセレクタテーブルが記憶されており、例えば、セレクタ１〜４に対して、入力端子２７ａ〜２７ｄがユーザ操作によって割り当てられる。セレクタは、スイッチ回路などの周知の技術によって実現されている。また、選択された出力端子の情報はメモリに記憶されている。
【００３１】
システム制御部２３は、内蔵又は接続されたメモリ２８に記憶されているＡＶアンプの動作プログラムに基づいて、ＨＤＭＩ受信部２１、ＨＤＭＩ送信部２２、画像処理部２４、操作表示部２５、音声処理部２６、メモリ２８等を制御するものであり、例えば、マイクロコンピュータやＣＰＵ等である。システム制御部２３は、操作表示部２５からの操作入力または各部からの制御信号およびデータに基づいて各種処理を実行する。システム制御部２３は、ＣＥＣラインを介してＤＶＤプレーヤ１０Ａ〜１０Ｃのシステム制御部１４に接続され、システム制御部１４とコマンドおよびデータを送受信する。同様に、システム制御部２３は、ＣＥＣラインを介してディスプレイ装置３０Ａ〜３０Ｃのシステム制御部４２に接続され、システム制御部４２とコマンドおよびデータを送受信する。
【００３２】
画像処理装置２４が画像データを変換する処理解像度は、選択されたセレクタに割り当てられている入力端子と、選択された出力端子との組合せによって、システム制御部２３によって決定される。メモリ２８には、図３に示す入力設定解像度テーブルと、図４に示す出力設定解像度テーブルとが格納されている。入力設定解像度テーブルは、ユーザ操作に応じて、入力端子２７ａ〜２７ｄに対して（解像度（以下、入力設定解像度という。）を設定するためのテーブルである。なお、実際のユーザ操作としては、入力端子に対して解像度を設定する代わりに、セレクタ１〜４に対して解像度を設定するようになっている。出力設定解像度テーブルは、ユーザ操作に応じて、出力端子２７ｅ〜２７ｈに対して解像度（以下、出力設定解像度という。）を設定するためのテーブルである。入力設定解像度画面と、出力設定解像度画面とが、操作表示部２５に表示されて（又はディスプレイ装置３０にＯＳＤ出力されて）、ユーザ操作によって各解像度が入力されて設定される。
【００３３】
図５は、入力設定解像度と、出力設定解像度とに基づいて、画像処理部２４が画像データを変換して出力する処理解像度を説明する表である。図５の縦軸に示すように、入力設定解像度は、例えば、４８０ｉ，４８０ｐ，７２０ｉ，７２０ｐ，１０８０ｉ，１０８０ｐ，Ａｕｔｏ，Ｔｈｒｏｕｇｈに設定可能である。図５の横軸に示すように、出力設定解像度は、例えば、４８０ｉ，４８０ｐ，７２０ｉ，７２０ｐ，１０８０ｉ，１０８０ｐ，Ａｕｔｏ，Ｔｈｒｏｕｇｈ，Ｓｏｕｒｃｅに設定可能である。
【００３４】
図５に示すように、出力設定解像度がＳｏｕｒｃｅ以外、すなわち、４８０ｉ，４８０ｐ，７２０ｉ，７２０ｐ，１０８０ｉ，１０８０ｐ，Ａｕｔｏ，Ｔｈｒｏｕｇｈのいずれかに設定されている場合には、入力設定解像度は無視され、画像処理部２４が変換する処理解像度は、出力設定解像度に決定される。出力端子に接続されるディスプレイ装置３０が特定の解像度のみに対応している（対応とは表示可能なことをいう、以下同様。）場合には、ディスプレイ装置３０に出力する解像度は、ＤＶＤプレーヤ１０が出力する画像データの解像度によらずに、ディスプレイ装置３０が対応可能な解像度に変換されるべきである。
【００３５】
そのため、ディスプレイ装置３０が対応可能な解像度が出力設定解像度として設定されることにより、入力設定解像度は無視され、画像処理部２４が変換する処理解像度は、出力設定解像度に決定される。従って、ＤＶＤプレーヤ１０から入力された画像データは、出力設定解像度に変換されて、ディスプレイ装置３０に出力される。従って、ディスプレイ装置３０には、必ず、ディスプレイ装置３０が対応可能な解像度の画像データが出力されるようになる。
【００３６】
一方、出力設定解像度がＳｏｕｒｃｅに設定されている場合には、出力設定解像度は無視され、画像処理部２４が出力する解像度は、入力設定解像度に決定される。出力端子に接続されるディスプレイ装置３０が、４８０ｉ，４８０ｐ，７２０ｉ，７２０ｐ，１０８０ｉ，１０８０ｐの全ての（又は大半の）解像度に対応しており、どの解像度の画像データが供給されても対応可能な場合には、出力設定解像度にはＳｏｕｒｃｅが設定される。
【００３７】
入力設定解像度としては、入力端子に接続されるＤＶＤプレーヤ１０が出力する画像データに対して、ユーザが画像処理部２４での変換を希望する解像度が設定される。例えば、図３の入力端子２７ｄのように、４８０ｉの画像データを出力するＤＶＤプレーヤに対して、７２０ｐへの変換を所望する場合、入力設定解像度が７２０ｐに設定され、これにより、画像処理部２４は画像データを４８０ｉから７２０ｐに変換する。なお、後述するように、入力設定解像度がＡｕｔｏに設定されると、ディスプレイ装置３０の対応可能な解像度（例えば１０８０ｐ）に、画像処理部２４が変換する処理解像度が自動的に決定される。そこで、画像処理部２４に１０８０ｐではなく７２０ｐでの変換を所望する場合には（例えば、１０８０ｐにアップコンバートすると、画質劣化が生じるような場合）、入力設定解像度を７２０ｐに設定しておけばよい。
【００３８】
同様に、図３の入力端子２７ｃのように、７２０ｉの画像データを出力するＤＶＤプレーヤに対して、１０８０ｉへの変換を所望する場合、入力設定解像度が１０８０ｉに設定され、これにより、画像処理部２４は画像データを７２０ｉから１０８０ｉに変換する。なお、後述するように、入力設定解像度がＡｕｔｏに設定されると、ディスプレイ装置の対応可能な解像度（例えば１０８０ｐ）に、画像処理部２４が変換する処理解像度が設定される。そこで、画像処理部２４に１０８０ｐではなく１０８０ｉでの変換を所望する場合には（例えば、インターレースからプログレッシブに変換すると画質劣化が生じるために、避けたい場合）、入力設定解像度を１０８０ｉに設定しておけばよい。
【００３９】
これにより、ＤＶＤプレーヤ１０から入力された画像データは、画像処理部２４において、入力設定解像度に変換されて、ディスプレイ装置３０に出力される。ディスプレイ装置３０は、全ての解像度に対応可能であるので、供給された画像データを再生することができる。
【００４０】
出力設定解像度がＳｏｕｒｃｅに設定されている出力端子については、出力端子に割り当てられる入力端子（ＤＶＤプレーヤ１０）を変更することにより、画像処理部２４が変換する処理解像度を、自動的に適切な解像度に変更することができる。すなわち、出力設定解像度にＳｏｕｒｃｅが設定されている出力端子に割り当てられている入力端子が、４８０ｉの画像データが入力され画像処理部２４において４８０ｉから７２０ｐへの変換を所望する入力端子から、７２０ｉの画像データが入力され画像処理部２４において７２０ｉから１０８０ｉへの変換を所望する入力端子に変更された場合、画像処理部２４が変換する処理解像度は入力設定解像度に決定されるので、７２０ｐから１０８０ｉに自動的に変更され、入力端子を変更する毎に、ユーザ操作によって解像度設定を変更する必要がない。
【００４１】
出力設定解像度がＡｕｔｏに設定されている場合、又は、出力設定解像度がＳｏｕｒｃｅに設定され、かつ、入力設定解像度がＡｕｔｏに設定されている場合、システム制御部２３は、ＤＤＣラインを介して、ディスプレイ装置３０のメモリ４５から、ディスプレイ装置３０で対応可能な解像度の種類を含むＥＤＩＤを読み出す。システム制御部２３は、ＥＤＩＤに含まれる解像度の中から、１つの解像度を選択して、画像処理部２４が変換する処理解像度に決定する。例えば、ＥＤＩＤに含まれる解像度の中から、ＡＶアンプ２０で対応可能（解像度変換可能及び／又は送受信可能、以下同様。）な解像度と一致する解像度（複数ある場合は最も高い解像度）が、画像処理部２４が変換する処理解像度に決定される。
【００４２】
すなわち、ディスプレイ装置３０の対応可能な最も高い解像度への変換処理を実行させたい場合に、このような設定が行われる。ＤＶＤプレーヤ１０の種類によって、ディスプレイ装置３０の対応可能な最も高い解像度への変換処理を実行させたい装置と、そうでない装置がある場合には、ディスプレイ装置３０の対応可能な最も高い解像度への変換処理を実行させたい装置が接続された入力端子の入力設定解像度のみにＡｕｔｏを設定すればよい。一方、ディスプレイ装置３０の種類によって、ディスプレイ装置３０の対応可能な最も高い解像度への変換処理を実行させたい装置と、そうでない装置とがある場合には、ディスプレイ装置３０の対応可能な最も高い解像度への変換処理を実行させたい装置が接続された出力端子の出力設定解像度のみにＡｕｔｏを設定すればよい。
【００４３】
出力設定解像度がＴｈｒｏｕｇｈに設定されている場合、又は、出力設定解像度がＳｏｕｒｃｅに設定され、かつ、入力設定解像度がＴｈｒｏｕｇｈに設定されている場合、画像処理部２４は、ＤＶＤプレーヤ１０から供給された画像データを解像度変換せずにそのまま出力する。
【００４４】
すなわち、解像度変換すると画質が劣化するために、画像処理部２４には変換処理を実行させたくない場合に、このような設定が行われる。ＤＶＤプレーヤ１０の種類によって、画像処理部２４で解像度変換すると画質劣化する装置と、そうでない装置とがある場合には、解像度変換させたくない装置が接続された入力端子の入力設定解像度のみにＴｈｒｏｕｇｈを設定すればよい。一方、ディスプレイ３０の種類によって、画像処理部２４で解像度変換すると画質劣化する装置と、そうでない装置とがある場合には、解像度変換させたくない装置が接続された出力端子の出力設定解像度のみにＴｈｒｏｕｇｈを設定すればよい。
【００４５】
［ディスプレイ装置３０の構成］
ディスプレイ装置３０は、ＨＤＭＩ受信部４１と、システム制御部４２と、画像処理部４３と、表示部４４と、メモリ（ＲＯＭ、ＲＡＭ等）４５と、操作部４６と、入力端子４７とを備える。
【００４６】
ＨＤＭＩ受信部４１は、ＡＶアンプ２０のＨＤＭＩ送信部２２から送信されたＨＤＭＩデータを受信して、受信したＨＤＭＩデータから元の画像データを生成し、画像処理部４３に供給する。画像処理部４３は、供給された画像データに対して必要に応じて画像処理を実行し、表示部４４に供給する。
【００４７】
表示部４４は、画像処理部４３から画像データが供給され、当該画像データに基づいて画像を表示するものであり、例えば、ＬＣＤまたはＣＲＴ等である。
【００４８】
システム制御部４２は、ＨＤＭＩ受信部４１、画像処理部４３、表示部４４、メモリ４５等を制御するものであり、例えば、マイクロコンピュータ等である。システム制御部４３は、操作部４６からの操作入力または各部からの制御信号およびデータに基づいて各種処理を実行する。
【００４９】
メモリ４５には、ディスプレイ装置３０が対応可能な（表示部４４で表示可能な）解像度の種類を含むＥＤＩＤが予め記憶されている。このＥＤＩＤは、ＤＤＣラインを介して、ＡＶアンプ２０のシステム制御部２３によって読み出される。
【００５０】
以下、本実施形態のＡＶアンプ２０の処理解像度の決定処理を、図６のフローチャート（および図３〜図５）を参照し、説明する。システム制御部２３は、選択されたセレクタに割り当てられている出力端子及び入力端子の組合せに関して、出力設定解像度がＳｏｕｒｃｅに設定されているか否かを判断する（Ｓ１）。Ｓｏｕｒｃｅに設定されている場合には（Ｓ１でＹＥＳ）、Ｓ５に進む（後述）。一方、Ｓｏｕｒｃｅに設定されていない場合には（Ｓ１でＮＯ）、システム制御部２３は、出力設定解像度がＡｕｔｏに設定されているか否かを判断する（Ｓ２）。
【００５１】
Ａｕｔｏに設定されている場合には（Ｓ２でＹＥＳ）、システム制御部２３は、ディスプレイ装置３０のＥＤＩＤを取得し、ＥＤＩＤからディスプレイ装置３０が対応可能な解像度を読み出し、その中で、ＡＶアンプ３０が対応可能な解像度を画像処理部２４が出力する処理解像度に決定する。
【００５２】
Ａｕｔｏに設定されていない場合には（Ｓ２でＮＯ）、システム制御部２３は、出力設定解像度がＴｈｒｏｕｇｈに設定されているか否かを判断する（Ｓ３）。Ｔｈｒｏｕｇｈに設定されている場合には（Ｓ３でＹＥＳ）、システム制御部２３は、ＤＶＤプレーヤ１０が出力する画像データを解像度変換することなく出力するように画像処理部２４を制御する（Ｓ９）。一方、Ｔｈｒｏｕｇｈに設定されていない場合には（Ｓ３でＮＯ）、システム制御部２３は、出力設定解像度を画像処理部２４が変換する処理解像度に設定する（Ｓ４）。
【００５３】
Ｓ１において、出力設定解像度がＳｏｕｒｃｅに設定されている場合（Ｓ１でＹＥＳ）、システム制御部２３は、入力設定解像度がＡｕｔｏに設定されているか否かを判断する（Ｓ５）。入力設定解像度がＡｕｔｏである場合（Ｓ５でＹＥＳ）、システム制御部２３は、ＨＤＭＩのＤＤＣラインを介してディスプレイ装置３０と接続されディスプレイ装置３０から解像度情報を含むＥＤＩＤを取得することが可能であるか否かを判断する（Ｓ８）。具体的には、出力端子がＨＤＭＩ出力端子であるか否か、又は、ディスプレイ装置３０から取得したＥＤＩＤに解像度の情報が含まれているか否か等が判断されることにより、解像度情報を取得できるか否かが判断される。解像度情報を含むＥＤＩＤを取得可能であれば（Ｓ８でＹＥＳ）、システム制御部２３は、ディスプレイ装置３０のＥＤＩＤを取得し、ＥＤＩＤからディスプレイ装置３０が対応可能な解像度を読み出し、その中で、ＡＶアンプ３０が対応可能な解像度を画像処理部２４が変換する処理解像度に決定する（Ｓ１０）。
【００５４】
一方、解像度情報を含むＥＤＩＤを取得可能でなければ（Ｓ８でＮＯ）、システム制御部２３は、ＤＶＤプレーヤ１０が出力する画像データを解像度変換することなく出力するように画像処理部２４を制御する（Ｓ９）。
【００５５】
Ｓ５において、入力設定解像度がＡｕｔｏでない場合（Ｓ５でＮＯ）、システム制御部２３は、入力設定解像度がＴｈｒｏｕｇｈに設定されているか否かを判断する（Ｓ６）。入力設定解像度がＴｈｕｏｕｇｈであれば（Ｓ６でＹＥＳ）、システム制御部２３は、ＤＶＤプレーヤ１０が出力する画像データを解像度変換することなく出力するように画像処理部２４を制御する（Ｓ９）。一方、入力設定解像度がＴｈｕｏｕｇｈでなければ（Ｓ６でＮＯ）、システム制御部２３は、入力設定解像度を画像処理部２４が変換する処理解像度に設定する（Ｓ７）。
【００５６】
次に、図３及び図４のように出力設定解像度及び入力設定解像度が設定されている場合に決定される画像処理部２４が変換する処理解像度について説明する。
［（１）出力端子２７ｅと入力端子２７ａとの組合せの場合］
図４のように出力端子２７ｅの出力設定解像度はＳｏｕｒｃｅに設定されているので、組み合わせられる入力端子に設定されている入力設定解像度に応じて、画像処理部２４が変換する処理解像度が決定される。図３のように入力端子２７ａの入力設定解像度はＡｕｔｏに設定されている。従って、図６において、Ｓ１でＹＥＳ、Ｓ５でＹＥＳ、Ｓ８でＹＥＳと判断されるので、システム制御部２３は、ディスプレイ装置３０のＥＤＩＤを取得し、ＥＤＩＤからディスプレイ装置３０が対応可能な解像度を読み出し、その中で、ＡＶアンプ３０が対応可能な解像度を画像処理部２４が変換する処理解像度に設定する。例えば、ディスプレイ装置３０が４８０ｉ，４８０ｐ，７２０ｉ，７２０ｐ，１０８０ｉ，１０８０ｐに対応可能であり、ＡＶアンプ２０が４８０ｉ，４８０ｐ，７２０ｉ，７２０ｐ，１０８０ｉ，１０８０ｐに対応可能である場合、画像処理部２４が変換する処理解像度は１０８０ｐに決定される。従って、ＤＶＤプレーヤ１０から４８０ｉの画像データが入力された場合、画像処理部２４は、４８０ｉから１０８０ｐに変換して、ディスプレイ装置３０に画像データを出力する。
【００５７】
［（２）出力端子２７ｅと入力端子２７ｂとの組合せの場合］
図４のように出力端子２７ｅの出力設定解像度はＳｏｕｒｃｅに設定され、図３のように入力端子２７ｂの入力設定解像度はＴｈｒｏｕｇｈに設定されている。従って、図６において、Ｓ１でＹＥＳ、Ｓ５でＮＯ、Ｓ６でＹＥＳと判断されるので、システム制御部２３は、ＤＶＤプレーヤ１０が出力する画像データを解像度変換することなく出力するように画像処理部２４を制御する。例えば、ＤＶＤプレーヤ１０が７２０ｐの画像データを出力する場合、画像処理部２４は７２０ｐのままで画像データをディスプレイ装置３０に出力する。
【００５８】
［（３）出力端子２７ｅと入力端子２７ｃとの組合せの場合］
図４のように出力端子２７ｅの出力設定解像度はＳｏｕｒｃｅに設定され、図３のように入力端子２７ｃの入力設定解像度は１０８０ｉに設定されている。従って、図６において、Ｓ１でＹＥＳ、Ｓ５でＮＯ、Ｓ６でＮＯと判断されるので、システム制御部２３は、入力設定解像度１０８０ｉを画像処理部２４が変換する処理解像度に設定する。従って、ＤＶＤプレーヤ１０から７２０ｉの画像データが入力された場合、画像処理部２４が７２０ｉから１０８０ｉに変換して、ディスプレイ装置３０に画像データを出力する。なお、（１）のように、入力設定解像度をＡｕｔｏに設定すると、画像処理部２４が変換する処理解像度は１０８０ｐに決定されプログレッシブへの変換も伴うが、（３）場合にはプログレッシブへの変換を行わずに１０８０ｉで出力することができる。
【００５９】
［（４）出力端子２７ｅと入力端子２７ｄとの組合せの場合］
図４のように出力端子２７ｅの出力設定解像度はＳｏｕｒｃｅに設定され、図３のように入力端子２７ｄの入力設定解像度は７２０ｐに設定されている。従って、図６において、Ｓ１でＹＥＳ、Ｓ５でＮＯ、Ｓ６でＮＯと判断されるので、システム制御部２３は、入力設定解像度７２０ｐを画像処理部２４が変換する処理解像度に設定する。従って、ＤＶＤプレーヤ１０から４８０ｉの画像データが入力された場合、画像処理部２４が４８０ｉから７２０ｐに変換して、ディスプレイ装置３０に画像データを出力する。なお、（１）のように、入力設定解像度をＡｕｔｏに設定すると、画像処理部２４が変換する処理解像度は１０８０ｐに決定されるが、この場合には７２０ｐで出力することができる。
【００６０】
以上の（１）〜（４）のように、出力設定解像度がＳｏｕｒｃｅに設定されている出力端子２７ｅには、割り当てられる入力端子の入力設定解像度に応じて、画像処理部２４が変換する処理解像度を変更することができる。従って、出力端子２７ｅに割り当てられる入力端子が変更されても、出力設定解像度をＳｏｕｒｃｅに設定しておくことにより、ユーザ操作によって解像度を変更する必要がなく、操作を簡単化することができる。
【００６１】
［（５）出力端子２７ｆと入力端子２７ａ〜２７ｄのいずれかとの組合せの場合］
図４のように出力端子２７ｆの出力設定解像度は４８０ｉに設定されているので、組み合わせられる入力端子に設定されている入力設定解像度は無視され、画像処理部２４が変換する処理解像度が出力設定解像度に決定される。従って、図６において、Ｓ１でＮＯ、Ｓ２でＮＯ、Ｓ３でＮＯと判断されるので、システム制御部２３は、出力設定解像度４８０ｉを画像処理部２４が変換する処理解像度に決定する。従って、ＤＶＤプレーヤ１０から７２０ｉの画像データが入力された場合、画像処理部２４が７２０ｉから４８０ｉに変換して、ディスプレイ装置３０に画像データを出力する。このように、出力端子２７ｆに接続されるディスプレイ装置３０が特定の解像度４８０ｉにしか対応していない場合には、出力端子２７ｆの出力設定解像度を４８０ｉに設定しておくことにより、必ず、特定解像度４８０ｉの画像データをディスプレイ装置３０に出力することができる。
【００６２】
［（６）出力端子２７ｇと入力端子２７ａ〜２７ｄのいずれかとの組合せの場合］
図４のように出力端子２７ｇの出力設定解像度はＡｕｔｏに設定されているので、組み合わせられる入力端子に設定されている入力設定解像度は無視され、画像処理部２４が変換する処理解像度が出力設定解像度に決定される。従って、図６において、Ｓ１でＮＯ、Ｓ２でＹＥＳと判断されるので、システム制御部２３は、ディスプレイ装置３０のＥＤＩＤを取得し、ＥＤＩＤからディスプレイ装置３０が対応可能な解像度を読み出し、その中で、ＡＶアンプ３０が対応可能な解像度を画像処理部２４が出力する解像度に決定する。例えば、ディスプレイ装置３０が４８０ｉ，４８０ｐ，７２０ｉ，７２０ｐ，１０８０ｉ，１０８０ｐに対応可能であり、ＡＶアンプ２０が４８０ｉ，４８０ｐ，７２０ｉ，７２０ｐ，１０８０ｉ，１０８０ｐに対応可能である場合、画像処理部２４が出力する解像度は１０８０ｐに決定される。従って、ＤＶＤプレーヤ１０から４８０ｉの画像データが入力された場合、画像処理部２４が４８０ｉから１０８０ｐに変換して、ディスプレイ装置３０に画像データを出力する。
【００６３】
［（７）出力端子２７ｈと入力端子２７ａ〜２７ｄのいずれかとの組合せの場合］
図４のように出力端子２７ｈの出力設定解像度はＴｈｒｏｕｇｈに設定されているので、組み合わせられる入力端子に設定されている入力設定解像度は無視され、画像処理部２４が変換する処理解像度が出力設定解像度に決定される。従って、図６において、Ｓ１でＮＯ、Ｓ２でＮＯ、Ｓ３でＹＥＳと判断されるので、システム制御部２３は、ＤＶＤプレーヤ１０が出力する画像データを解像度変換することなく出力するように画像処理部２４を制御する。例えば、ＤＶＤプレーヤ１０が７２０ｐの画像データを出力する場合、画像処理部２４は７２０ｐのままで画像データをディスプレイ装置３０に出力する。
【００６４】
以上のように、本例では出力設定解像度と入力設定解像度とを設定可能とし、出力設定解像度がＳｏｕｒｃｅの場合には、画像処理部２４が出力する解像度が入力設定解像度に設定されるので、全ての解像度に対応可能なディスプレイ装置の場合に、出力端子に割り当てる入力端子の変更に応じて、画像処理部２４が出力する解像度を自動的に変更することができる。一方、出力設定解像度がＳｏｕｒｃｅ以外の場合には、画像処理部２４が出力する解像度が出力設定解像度に設定されるので、ディスプレイ装置が特定の解像度しか対応していない場合に、特定の解像度を出力設定解像度に設定することによって、ディスプレイ装置に必ず特定の解像度で出力することができる。
【００６５】
次に、図７のフローチャートを参照し、図６の処理の変形例を説明する。図７は、図６と比較して、Ｓ１１〜Ｓ１４の処理が追加されている。Ｓ２において、出力設定解像度がＡｕｔｏに設定されている場合（Ｓ２でＹＥＳ）、システム制御部２３は、出力端子に接続されているディスプレイ装置３０から解像度情報を含むＥＤＩＤを取得できる否かを判断する（Ｓ１１）。この判断はＳ８の処理と同じである。解像度情報を含むＥＤＩＤを取得できれば（Ｓ１１でＹＥＳ）、Ｓ１０に進む。
【００６６】
一方、解像度情報を含むＥＤＩＤを取得できなければ（Ｓ１１でＮＯ）、システム制御部２３は、入力設定解像度がＡｕｔｏ又はＴｈｒｏｕｇｈであるか否かを判断する（Ｓ１２）。入力設定解像度がＡｕｔｏ又はＴｈｒｏｕｇｈでなければ、システム制御部２３は、入力設定解像度を処理解像度に決定する（Ｓ１３）。従って、処理解像度が決定できないという問題を解決できる。一方、入力設定解像度がＡｕｔｏであれば（Ｓ１２でＹＥＳ）、解像度情報をディスプレイ装置３０から取得できないために処理解像度を決定することができないので、ディスプレイ装置３０が確実に対応できると考えられる４８０ｐを処理解像度に決定する（Ｓ１４）。同様に、入力設定解像度がＴｈｒｏｕｇｈの場合にも（Ｓ１２でＹＥＳ）、ディスプレイ装置３０が確実に対応できると考えられる４８０ｐを処理解像度に決定する（Ｓ１４）。
【００６７】
以上、本発明の好ましい実施形態を説明したが、本発明はこれらの実施形態には限定されない。なお、Ｓｏｕｒｃｅ、Ａｕｔｏ、Ｔｈｒｏｕｇｈという用語は、設定項目を説明するための一例であり、その主旨が同じである限り、別の用語に変更されてもよい。画像送信装置は、ＤＶＤプレーヤに限らずＢＤレコーダ、セットトップボックス、ゲーム機等であってもよい。同様に、画像受信装置は、プロジェクタ等であってもよい。ＡＶアンプの上記動作をコンピュータに実行させるためのプログラムおよびこれを記録した記録媒体という形態で提供されてもよい。また、ＡＶアンプの上記動作の一部のみのプログラムを、ＡＶアンプにファームウェアアップデートという形態で提供されてもよい。さらには、ＡＶアンプの上記動作の一部のみのプログラムが格納されたＣＰＵ、マイコンなどの電子部品という形態で提供されてもよい。
【産業上の利用可能性】
【００６８】
本発明は、ＡＶアンプ等に好適に採用され得る。
【図面の簡単な説明】
【００６９】
【図１】本発明の好ましい実施形態によるＡＶアンプを示すブロック図である。
【図２】セレクタテーブルを示す図である。
【図３】入力設定解像度テーブルを示す図である。
【図４】出力設定解像度テーブルを示す図である。
【図５】入力設定解像度と出力設定解像度との組合せに応じて決定される処理解像度を説明する表である。
【図６】システム制御部２３による処理解像度を決定する処理を示すフローチャートである。
【図７】図６の変形例を示すフローチャートである。
【符号の説明】
【００７０】
１０            ＤＶＤプレーヤ
２０            ＡＶアンプ
２１            ＨＤＭＩ受信部
２２            ＨＤＭＩ送信部
２３            システム制御部
２４            画像処理部
２７ａ〜２７ｄ  入力端子
２７ｅ〜２７ｈ  出力端子
３０            ディスプレイ装置
【図１】
2010004467.tif 000003
【図２】
2010004467.tif 000004
【図３】
2010004467.tif 000005
【図４】
2010004467.tif 000006
【図５】
2010004467.tif 000007
【図６】
2010004467.tif 000008
【図７】
2010004467.tif 000009